(57)【要約】【課題】本発明は、新規な構造を備えた内部結露水排水機能付き蓄熱槽を提供することを目的とする。【解決手段】この蓄熱槽は、天井面のコンクリート躯体の内周面に沿って固定した断熱成型板と、通水層と遮水層の二層構造の無孔通気緩衝シートとを備え、前記断熱成型板の外周面又は内外周両面に沿って前記無孔通気緩衝シートを配置し、前記断熱成型板に向かって移動する水蒸気及び結露水を、前記無孔通気緩衝シートの遮水層により遮断し、通水層を通して壁面方向に排出している。【選択図】図５Ｃ
2015187534.tif 000002
【特許請求の範囲】
【請求項１】
天井面のコンクリート躯体の内周面に沿って固定した断熱成型板と、
通水層と遮水層の二層構造の無孔通気緩衝シートとを備え、
前記断熱成型板の外周面又は内外周両面に沿って前記無孔通気緩衝シートを配置し、
前記断熱成型板に向かって移動する水蒸気及び結露水を、前記無孔通気緩衝シートの遮水層により遮断し、通水層を通して壁面方向に排出する、内部結露水排水機能付き蓄熱槽。
【請求項２】
請求項１に記載の内部結露水排水機能付き蓄熱槽において、
前記無孔通気緩衝シートの遮水層は、遮水機能を有する無機質フィルム又は高分子ポリマーシートから成り、
前記無孔通気緩衝シートの通水層は、耐水性を有する繊維層から成る、内部結露水排水機能付き蓄熱槽。
【請求項３】
請求項１に記載の内部結露水排水機能付き蓄熱槽において、
前記無孔通気緩衝シートの遮水層は、遮水機能を有する無機質フィルム又は高分子ポリマーシートから成り、
前記無孔通気緩衝シートの通水層は、ポリエステル不織布層から成る、内部結露水排水機能付き蓄熱槽。
【請求項４】
請求項１に記載の内部結露水排水機能付き蓄熱槽において、
槽内の温度と槽外の温度を比較して、常時、槽内の温度が相対的に低い氷蓄熱槽及び冷水専用槽では、前記無孔通気緩衝シートの遮水層を前記断熱成型板の外周面側に接するように配置している、内部結露水排水機能付き蓄熱槽。
【請求項５】
請求項１に記載の内部結露水排水機能付き蓄熱槽において、
槽内の温度と槽外の温度を比較して、常時、槽内の温度が相対的に高い温水専用槽では、前記無孔通気緩衝シートの遮水層を前記断熱成型板の内周面側に接するように配置している、内部結露水排水機能付き蓄熱槽。
【請求項６】
請求項１に記載の内部結露水排水機能付き蓄熱槽において、
槽内の温度と槽外の温度の高い方が循環的に変化する冷温水槽では、前記断熱成型板の外周面及び内周面の両面に沿って前記無孔通気緩衝シートを夫々配置し、
前記断熱成型板の外周面では、前記無孔通気緩衝シートの遮水層を該外周面に接するように配置し、
前記断熱成型板の内周面では、前記無孔通気緩衝シートの遮水層を該内周面に接するように配置している、内部結露水排水機能付き蓄熱槽。
【請求項７】
請求項１〜６のいずれか一項に記載の内部結露水排水機能付き蓄熱槽において、
前記断熱成型板は、ウレタン樹脂又はポリスチレン樹脂の成型板から成る、内部結露水排水機能付き蓄熱槽。
【請求項８】
請求項５又は６に記載の内部結露水排水機能付き蓄熱槽において、
前記断熱成型板の内周面に沿って配置された前記無孔通気緩衝シートの内周面側に、更に防水層が形成されている、内部結露水排水機能付き蓄熱槽。
【請求項９】
請求項１〜７のいずれか一項に記載の内部結露水排水機能付き蓄熱槽において、
壁側コンクリート躯体の内周面側に沿って無孔通気緩衝シートが配置され、
前記無孔通気緩衝シートの内周面側に沿って断熱層が形成され、
前記断熱層の内周面側に沿って防水層が形成され、
前記断熱成型板の外周面又は内外周両面に沿って配置された無孔通気緩衝シートの通水層と、前記壁側コンクリート躯体の内周面側に沿って無孔通気緩衝シートの通水層とは、結露水が流れるように連結されている、内部結露水排水機能付き蓄熱槽。
【請求項１０】
請求項９に記載の内部結露水排水機能付き蓄熱槽において、
前記断熱層は、現場発泡ウレタン断熱材又はポリスチレン樹脂成型板から成る、内部結露水排水機能付き蓄熱槽。
【請求項１１】
請求項８に記載の内部結露水排水機能付き蓄熱槽において、
前記防水層は、ポリウレア樹脂から成る、内部結露水排水機能付き蓄熱槽。
【発明の詳細な説明】
【技術分野】
【０００１】
本発明は、内部結露水排水機能付き蓄熱槽に関する。
【背景技術】
【０００２】
最近、エネルギーの有効利用の観点から、ビルの空調設備に蓄熱システムを導入する例が増えている。例えば、図１Ａは、ビル１の空きスペース（二重スラブ）２を冷温水槽４として利用した水蓄熱式空調システムの一例である。図１Ｂに示すように、最下階の床スラブ５と基礎スラブ６の間の空間２を利用して冷温水槽４を形成する。
【０００３】
水蓄熱式空調システムでは、夜間の割安な電力（深夜電力）を利用して、冷温水槽４に熱エネルギーとして蓄える。具体的には、夜間の電力で熱源機３を運転して、夏は冷水を蓄えた冷水槽として使用し、昼間の冷房時には冷水槽に蓄えられた冷水を利用して冷房を行う。一方、冬は温水を蓄えた温水槽として使用し、昼間の暖房時には温水槽に蓄えられた温水を利用して暖房を行う。
【０００４】
蓄熱システムを採用しない場合、昼間（空調時間帯）の空調負荷に合わせて、熱源機を運転する。これに対して、蓄熱システムを採用すると、夜間（空調時間帯以外の時間帯）に蓄熱運転により熱エネルギーを蓄え、このエネルギーを昼間の空調に利用する（放熱）。空調負荷の多い日は、熱源機３により追いかけ運転を行う。蓄熱システムは、必要な設備容量を小さくすることができ、経済性に優れている。
【０００５】
蓄熱槽４を形成するコンクリート躯体５，６，７は、止水性に乏しく、熱損失が大きい。このため、図１Ｂに示すように、蓄熱槽４は、熱エネルギーのロスを減少すると共に、コンクリート躯体５，６，７外面の結露を防止するため、コンクリート躯体内面に断熱材８と漏水を防ぐ防水材９とを用いて形成される。
【０００６】
蓄熱槽４には、このような季節に応じて、冷水と温水を切り替えて使用する冷温水槽以外にも、用途に応じて、例えば、常時氷を蓄える氷蓄熱槽、常時４℃程度の冷水を蓄える冷水専用槽、常時５０℃程度の温水を蓄える温水専用槽等がある。
【先行技術文献】
【特許文献】
【０００７】
【特許文献１】特開平5-157294「断熱蓄熱槽」（公開日：1993年6月22日）
【特許文献２】特開平11-350614「蓄熱槽などの断熱防水施工法」（公開日：1999年12月21日）
【特許文献３】特開平11-350615「蓄熱槽などの断熱防水施工法」（公開日：1999年12月21日）
【特許文献４】特開2008-231890号「蓄熱槽及びその施工法」（公開日：2008.10.02）
【発明の概要】
【発明が解決しようとする課題】
【０００８】
特許文献１〜４では、蓄熱槽の天井面、側面及び床面とも、同じ層構成が提案されている。
【０００９】
しかし、本発明者等の研究の結果、槽内と槽外間の水蒸気の移動及び結露水の排水機能を考慮した蓄熱槽の開発が望ましいことが判明した。更に、このような蓄熱槽では、天井面、壁面及び床面によって、好ましい層構成が異なることが判明した。
【００１０】
そこで、本発明は、新規な構造を備えた内部結露水排水機能付き蓄熱槽を提供することを目的とする。
【課題を解決するための手段】
【００１１】
本発明に係る内部結露水排水機能付き蓄熱槽は、天井面のコンクリート躯体の内周面に沿って固定した断熱成型板と、通水層と遮水層の二層構造の無孔通気緩衝シートとを備え、前記断熱成型板の外周面又は内外周両面に沿って前記無孔通気緩衝シートを配置し、前記断熱成型板に向かって移動する水蒸気及び結露水を、前記無孔通気緩衝シートの遮水層により遮断し、通水層を通して壁面方向に排出する。
【００１２】
更に、上記内部結露水排水機能付き蓄熱槽では、前記無孔通気緩衝シートの遮水層は、遮水機能を有する無機質フィルム又は高分子ポリマーシートから成り、前記無孔通気緩衝シートの通水層は、耐水性を有する繊維層から成っていてもよい。
【００１３】
更に、上記内部結露水排水機能付き蓄熱槽では、前記無孔通気緩衝シートの遮水層は、遮水機能を有する無機質フィルム又は高分子ポリマーシートから成り、前記無孔通気緩衝シートの通水層は、ポリエステル不織布層から成っていてもよい。
【００１４】
更に、上記内部結露水排水機能付き蓄熱槽では、槽内の温度と槽外の温度を比較して、常時、槽内の温度が相対的に低い氷蓄熱槽及び冷水専用槽では、前記無孔通気緩衝シートの遮水層を前記断熱成型板の外周面側に接するように配置していてもよい。
【００１５】
更に、上記内部結露水排水機能付き蓄熱槽では、槽内の温度と槽外の温度を比較して、常時、槽内の温度が相対的に高い温水専用槽では、前記無孔通気緩衝シートの遮水層を前記断熱成型板の内周面側に接するように配置していてもよい。
【００１６】
更に、上記内部結露水排水機能付き蓄熱槽では、槽内の温度と槽外の温度の高い方が循環的に変化する冷温水槽では、前記断熱成型板の外周面及び内周面の両面に沿って前記無孔通気緩衝シートを夫々配置し、前記断熱成型板の外周面では、前記無孔通気緩衝シートの遮水層を該外周面に接するように配置し、前記断熱成型板の内周面では、前記無孔通気緩衝シートの遮水層を該内周面に接するように配置していてもよい。
【００１７】
更に、上記内部結露水排水機能付き蓄熱槽では、前記断熱成型板は、ウレタン樹脂又はポリスチレン樹脂の成型板から成っていてもよい。
【００１８】
更に、上記内部結露水排水機能付き蓄熱槽では、前記断熱成型板の内周面に沿って配置された前記無孔通気緩衝シートの内周面側に、更に防水層が形成されていてもよい。
【００１９】
更に、上記内部結露水排水機能付き蓄熱槽では、壁側コンクリート躯体の内周面側に沿って無孔通気緩衝シートが配置され、前記無孔通気緩衝シートの内周面側に沿って断熱層が形成され、前記断熱層の内周面側に沿って防水層が形成され、前記断熱成型板の外周面又は内外周両面に沿って配置された無孔通気緩衝シートの通水層と、前記壁側コンクリート躯体の内周面側に沿って無孔通気緩衝シートの通水層とは、結露水が流れるように連結されていてもよい。
【００２０】
更に、上記内部結露水排水機能付き蓄熱槽では、前記断熱層は、現場発泡ウレタン断熱材又はポリスチレン樹脂成型板から成っていてもよい。
【００２１】
更に、上記内部結露水排水機能付き蓄熱槽では、前記防水層は、ポリウレア樹脂から成っていてもよい。
【発明の効果】
【００２２】
本発明によれば、新規な構造を備えた内部結露水排水機能付き蓄熱槽を提供することが出来る。
【図面の簡単な説明】
【００２３】
【図１Ａ】図１Ａは、ビルの空きスペース（二重スラブ）を水蓄熱槽として利用した水蓄熱式空調システムの一例を示す図である。
【図１Ｂ】図１Ｂは、図１Ａの水蓄熱式空調システムにおいて、最下階の床スラブと基礎スラブの間の空間を利用して蓄熱槽を形成している様子を説明する図である。
【図２】図２は、使用開始後２０年経過後の冷温水槽の槽内天井面の様子を説明する図である。
【図３】図３は、同じく使用開始後２０年経過後の冷水槽の槽内天井面の様子を説明する図である。
【図４Ａ】図４Ａは、無孔通気緩衝シートの拡大図である。
【図４Ｂ】図４Ｂは、ビルの床面コンクリート躯体及び壁面コンクリート躯体の内周面側に対して、無孔通気緩衝シートを配置した場合の水蒸気の移動について説明する図である。
【図４Ｃ】図４Ｃは、天井面の防水層の外周面側に対して、無孔通気緩衝シートを配置した場合の水蒸気の移動について説明する図である。
【図５Ａ】図５Ａは、氷蓄熱槽及び冷水専用槽２０，２２の構造を説明する図である。
【図５Ｂ】図５Ｂは、温水専用槽２４の構造を説明する図である。
【図５Ｃ】図５Ｃは、冷温水槽２６の構造を説明する図である。
【図６Ａ】図６Ａは、従来のシート防水工法による蓄熱槽を示す図である、
【図６Ｂ】図６Ｂは、従来のウレタン吹付け防水工法による蓄熱槽を示す図である。
【発明を実施するための形態】
【００２４】
以下、本発明に係る内部結露水排水機能付き蓄熱槽の実施形態に関して、添付の図面を参照しながら詳細に説明する。本実施形態は、例示であって、本発明を何等限定するものではない。なお、図中、同じ要素に対しては、同じ符号を付して、重複した説明を省略する。
【００２５】
［蓄熱槽の構造］
（防水層の施工範囲）
現在、防水層の施工範囲は、日本建築学会の蓄熱断熱防水委員会による「蓄熱断熱防水工事技術工事指針(案)」によって、次のように規定されている。
【００２６】
【表１】
2015187534.tif 000003
【００２７】
指針では、冷水槽及び氷蓄熱槽に関しては、天井面に防水層を設けないと規定されている。この表3.2.1に関連して、次のような解説がされている。防水層は、壁・床の全面に施行することを原則とし、天井面は使用する水温との関係によって決まる。水蒸気は、温度の高い方から低い方へ移動する性質を有するからである。
【００２８】
（注１）に示すように、冷水槽及び氷蓄熱槽では、槽外に比較して槽内は相対的に低温であり、水蒸気は槽外側から槽内側に移動する。断熱層の槽内側に防水層があると、槽外側から断熱層に浸透した水蒸気は、断熱層と防水層の境界で内部結露し、その結果、結露水が防水層で滞留し、却って断熱層・防水層に不具合を生じさせる原因ともなるからである。
【００２９】
一方、（注２）に示すように、温水槽では、槽外に比較して槽内は相対的に高温であり、水蒸気は槽内側から槽外側に移動する。そのため、吸湿による断熱材の断熱性能低下や、上階への水蒸気の侵入を防止する必要があり、槽内天井面に防湿の為に防水層を代用して設ける。
【００３０】
冷温水槽は、季節により冷水槽若しくは温水槽として利用されるため水蒸気の移動方向が異なるが、冷水運転時に発生した結露水は温水運転時に揮散することから、温水槽と同じく防水層を設ける。以上が、「蓄熱断熱防水工事技術工事指針(案)」の解説である。
【００３１】
しかし、実際に施工例や温水槽を検証すると、防水層を設けた冷温水槽に於いて、断熱層防水層の不具合が生じていることが判明した。図２は、使用開始後２０年経過後の冷温水槽の槽内天井面の様子である。防水層が、天井スラブから約450ｍｍほど大きく垂れ下がっているのが分かる。図３は、同じく使用開始後２０年経過後の冷水槽の槽内天井面の様子である。槽内天井面の断熱層又は断熱防水層に複数個の膨らみは有るが、比較的小さい。このように、実際に施工例を検証してみると、冷水槽に比較して、冷温水槽や温水槽に発生した断熱層の不具合例の方が顕著であることが判明した。
【００３２】
冷温水槽の天井面には、防水層が形成されている。現在、防水層として使用されている材料は、高分子化合物が主流であり、長期間使用すると徐々に水蒸気を透過させてしまう。冷温水槽を温水槽として長期間使用すると、槽内の高温水蒸気が槽内天井面の防水層を透過して断熱層・天井側コンクリートスラブ側に移動し、低温の天井側コンクリートスラブに接した時点で凝縮し結露水となり、断熱防水層内に滞留する。一旦、防水層を透過し断熱槽内で結露した凝縮水は、防水層に阻まれ槽内には戻れず、断熱防水層内に長期間留まることとなる。その結果、図２に示すように防水層に大きな不具合が生じたものと考えられる。
【００３３】
従来、市場に於いて提供されている蓄熱システムでは、このような不具合に対して対応していないか、又は防水層として少しでも透湿抵抗の大きな材料を使用して水蒸気を通り難くすることに留まっている。この点に関しては、後で従来の代表的な工法と挙げながら説明する。
【００３４】
本発明者等は、このような状況から、槽内天井面の防水層を透過する水蒸気を遮断することは物理的に不可能と判断した。そして、防水層を透過した水蒸気・内部結露水を、積極的に外部に排出する機能をもたせた「内部結露水排水機能付き蓄熱槽」の開発を目指した。そのために利用した部材が、次に説明する無孔通気緩衝シートである。
【００３５】
（無孔通気緩衝シート）
図４Ａは、無孔通気緩衝シート１２の拡大図である。無孔通気緩衝シート１２は、遮水層１２−１と通水層１２−２との二層から成るシートであり、例えば、厚さ１．６ｍｍ程度のシートである。遮水層１２−１は、遮水機能を有するアルミニウム等の無機質フィルム又は高分子ポリマーシートからなり、例えば、ウレタンシートやアルミシートから成る。通水層１２−２は、耐水性が有り、水が浸透し移動可能な空間を形成する繊維層からなり、例えば、ポリエステル不織布層から成る。
【００３６】
図４Ｂは、ビルの床面コンクリート躯体（「コンクリートスラブ」ともいう。）５及び壁面コンクリート躯体７の内周面側に対して、無孔通気緩衝シート１２を配置した場合の水蒸気の移動について説明する図である。床面コンクリートスラブ５の内周面側に対して無孔通気緩衝シート１２を適用した場合、床面コンクリートスラブ５の内周面側にポリエステル不織布層１２−２が接触するように配置する。床面コンクリートスラブ５の内周面側とウレタンシート遮水層１２−１との間にあるポリエステル不織布層１２−２は、水蒸気や結露水を壁面方向Ｓｍに逃がす導通路（「導水路」ともいう。以下同じ。）として機能する。このような無孔通気緩衝シート１２は、従来、屋根防水の通気緩衝方式で使用されている。
【００３７】
同様に、壁面コンクリート躯体７の内周面側に対して無孔通気緩衝シート１２を適用する場合、壁面コンクリート躯体７の内周面側にポリエステル不織布層１２−２が接触するように配置する。壁面コンクリート躯体７の内周面側とウレタンシート遮水層１２−１との間にあるポリエステル不織布層１２−２は、水蒸気や結露水を壁面方向Ｓｍに逃がす導通路として機能する。天井面の導通路は、壁面の導通路と連結するように形成されている。
【００３８】
図４Ｃは、天井面の防水層１４の外周面側に対して、無孔通気緩衝シート１２を配置した場合の水蒸気の移動について説明する図である。防水層１４の外周面側に対して無孔通気緩衝シート１２を適用する場合、天井面の防水層１４の外周面側にポリエステル不織布層１２−２が接触するように配置する。防水層１４の外周面側とウレタンシート遮水層１２−１との間にあるポリエステル不織布層１２−２は、水蒸気や結露水を壁面方向Ｓｍに逃がす導通路として機能する。
【００３９】
（各蓄熱槽の構造と排水機能）
蓄熱槽４の中で冷温水槽は、１年を通じて季節により循環的に、温水槽又は冷水槽として利用される。従って、蓄熱槽４は、基本的に、氷蓄熱槽、冷水専用槽、温水専用槽、及び冷温水槽に分類される。以下、各蓄熱槽の構造と、その構造における水蒸気・結露水の排水機能について説明する。
【００４０】
(1) 氷蓄熱槽及び冷水専用槽
図５Ａは、氷蓄熱槽２２及び冷水専用槽２０の構造を説明する図である。氷蓄熱槽２２及び冷水専用槽２０では、槽内の温度は、槽外の温度より相対的に低い。そのため、水蒸気の移動方向Ｓｄは、常時、槽外側から槽内側に向かう状況にある。
【００４１】
氷蓄熱槽２２及び冷水専用槽２０の天井面は、コンクリートスラブ５の内周面側に無孔通気緩衝シート１２ｕを配置し、更にその内周面側に断熱成型板１６を固定した構造である。無孔通気緩衝シート１２ｕは、コンクリートスラブ側をポリエステル不織布層１２−２とし、断熱成型板側を遮水層１２−１とする。
【００４２】
断熱成型板１６は、好ましくは、板厚25〜100ｍｍ程度のウレタン、ポリスチレン等の成型板から成る。天井面のみに断熱成型板１６を採用した理由は、天井面に対して壁面及び床面に使用する現場発泡ウレタン材を使用した場合、吹付けして硬化する際に表面にスキン層が形成され、このスキン層が防水機能を有してしまうからである。具体的には、水蒸気が、万一、無孔通気緩衝シート１２ｕを透過し現場発泡ウレタン断熱層内に浸透した場合、或いは槽内の低温であるが若干の水蒸気・水が現場発泡ウレタン断熱層内に浸透した場合、現場発泡ウレタン断熱層の内周表面に形成されたスキン層に移動を遮断されて断熱層内に滞留し凝縮して結露水となり、断熱性能を劣化させてしまうからである。
【００４３】
天井面には、蓄熱断熱防水工事技術工事指針(案)に沿って、防水層は設けられていない。
【００４４】
氷蓄熱槽及び冷水専用槽２０，２２の壁面及び床面は、壁面コンクリート躯体７の内周面側に配置された無孔通気緩衝シート１２ｓと、更に無孔通気緩衝シートの内周面側に固定された断熱層１８と、更に断熱層の内周面側に形成された防水層１４ｓから成る。断熱層１８は、好ましくは、厚さ約25〜100ｍｍ、目標値約50ｍｍの現場発泡ウレタン断熱材又はポリスチレン樹脂成型板から形成される。防水層１４ｓは、好ましくは、厚さ約1〜5ｍｍ、目標値は約2ｍｍのポリウレア樹脂防水層である。
【００４５】
更に、防水層１４ｓの上にトップコート層（図示せず。）を形成してもよい。トップコート層は、フッ素樹脂、アクリルウレタン樹脂等から成り、透湿係数を更に抑える為に用いられる。更に、防水層１４ｓの裏面側（外周面側）に、防水層のピンホール検査のために、予め電気的な導通層を形成してもよい。他の種類の蓄熱槽の防水層に関しても同様である。
【００４６】
無孔通気緩衝シート１２ｓは、ポリエステル不織布層１２−２をコンクリート躯体側にして形成されている。天井面の無孔通気緩衝シート１２ｕと、壁面側の無孔通気緩衝シート１２ｓとは、水蒸気・結露水の導通路（ポリエステル不織布層）が連結するように接続されている。
【００４７】
相対的に高温の天井面コンクリートスラブ５から浸透した水蒸気・水分は、無孔通気緩衝シート１２ｕに達すると、無孔通気緩衝シート１２ｕのアルミニウム等の無機質フィルム又は高分子ポリマーシートから成る遮水層で移動が遮断され、凝縮して結露水と成り、この遮水層を透過する前に無孔通気緩衝シート１２ｕポリエステル不織布層内に浸透して移動する。この水蒸気・水分は、壁面側の無孔通気緩衝シート１２ｓのポリエステル不織布層内を通って床面近くに達する。この排水機能の詳細は、図４Ｂの説明を参照されたい。
【００４８】
図５Ａに示していないが、床面には、防水層の下層に湧水排水溝付き板状断熱材（湧水パネル）を設置して、これらの結露水を外部に排出している。以下説明する他の実施形態でも同様である。
【００４９】
(2) 温水専用槽
図５Ｂは、温水専用槽２４の構造を説明する図である。温水専用槽２４では、槽内の温度は、槽外の温度と比較して相対的に高い。そのため、水蒸気の移動方向Ｓｄは、常時、槽内側から槽外側に向かう状況にある。
【００５０】
温水専用槽２４の天井面は、コンクリートスラブ５の内周面側に断熱成型板１６が配置され、更に断熱成型板の内周面側に無孔通気緩衝シート１２ｕが固定され、更に無孔通気緩衝シートの内周面側に防水層１４ｕが配置された構造である。
【００５１】
防水層１４ｕは、好ましくは、厚さ約1〜5ｍｍ、目標値は約2ｍｍのポリウレア樹脂防水層である。
【００５２】
無孔通気緩衝シート１２ｄは、断熱成型板側を遮水層１２−１とし、防水層側をポリエステル不織布層１２−２とする。
【００５３】
温水専用槽２４の壁面は、図５Ａに示した冷水専用槽・氷蓄熱槽と同様に、コンクリート躯体７の内周面側に無孔通気緩衝シート１２ｓが配置され、更に無孔通気緩衝シートの内周面側に断熱層（例えば、現場発泡ウレタン断熱層）１８が形成され、更に断熱層の内周面側に防水層（例えば、ポリウレア樹脂防水層）１４ｓが形成された構造である。防水層１４ｕ、１４ｓの上にトップコート層（図示せず。）を形成してもよい。
【００５４】
天井面の防水層１４ｕと、壁面及び底面の防水層１４ｓとは、連結するように形成されている。更に、天井面の無孔通気緩衝シート１２ｕと、壁面及び底面の無孔通気緩衝シート１２ｓ，１２ｄ（１２ｄは図示せず。）とは、水蒸気及び結露水の導通路（ポリエステル不織布層）が連結するように接続されている。
【００５５】
槽内の高温水蒸気は、長期間の使用により天井防水層１４ｕを透過して無孔通気緩衝シート１２ｄに達するが、無孔通気緩衝シートの遮水層１２−１により断熱成型板１６に向けての移動は遮断される。ここで凝縮した結露水は、遮水層１２−１を透過する前に、無孔通気緩衝シート１２ｄのポリエステル不織布層１２−２に浸透し移動して、壁面側の無孔通気緩衝シート１２ｓのポリエステル不織布層１２−２に導かれる。この排水機能の詳細は、図４Ｃの説明を参照されたい。この凝縮水は、壁面側のポリエステル不織布層内を通って床面近くに達する。
【００５６】
なお、図５Ｂに示すように、無孔通気緩衝シート１２ｕ，１２ｓが、断熱層１８の端面を覆う部分は、無孔通気緩衝シート１２ｕの裏表を反転して、結露水が断熱層１８の端面から侵入しないようにしてもよい。或いは、この部分の無孔通気緩衝シート１２ｄは、ポリエステル不織布層１２−２の両面に遮水層１２−１を形成した三層構造の無孔通気緩衝シートとしてもよい。
【００５７】
(3) 冷温水槽
図５Ｃは、冷温水槽２６の構造を説明する図である。冷温水槽２６は、季節により循環的に、冷水槽又は温水槽として使用される。冷水槽として使用した場合、槽内の温度は、槽外の温度に比較して相対的に低い。そのため、水蒸気の移動方向Ｓｄ−１は、槽外側から槽内側に向かう状況にある。一方、温水槽として使用した場合、槽内の温度は、槽内の温度に比較して相対的に高い。そのため、水蒸気の移動方向Ｓｄ−２は、槽内側から槽外側に向かう状況にある。従って、冷温水槽は、上記の冷水専用槽と温水専用槽の両方の構造を同時に採用した構造となる。
【００５８】
冷温水槽２６の天井面は、ビルの床コンクリートスラブ５に対して、両面に無孔通気緩衝シート１２ｕ，１２ｄを配置した断熱成型板１６を固定した構造である。即ち、冷水槽として使用時のために外側に無孔通気緩衝シート１２ｕを配置し、温水槽として使用時のために内側に無孔通気緩衝シート１２ｄを配置している。両面の無孔通気緩衝シート１２ｕ、１２ｄは、断熱成型板側をウレタン遮水層１２−１とする。更に、内側に、温水専用槽と同様に、防水層１４ｕが形成されている。
【００５９】
冷温水槽２６の壁面は、冷水専用槽・氷蓄熱槽２０，２２及び温水専用槽２４と同様に、壁面コンクリート躯体７の内周面側に無孔通気緩衝シート１２ｓが配置され、更に無孔通気緩衝シートの内周面側に断熱層（例えば、現場発泡ウレタン断熱層）１８が形成され、更に断熱層の内周面側に防水層（例えば、ポリウレア樹脂防水層）１４ｓが形成された構造である。防水層１４ｕ、１４ｓの上にトップコート層（図示せず。）を形成してもよい。
【００６０】
天井面の防水層１４ｕと、壁面及び底面の防水層１４ｓとは、連結するように形成されている。更に、天井面の無孔通気緩衝シート１２ｕ，１２ｄと、壁面及び底面の無孔通気緩衝シート１２ｓとは、水蒸気及び結露水の導通路（ポリエステル不織布層）が連結するように接続されている。
【００６１】
冷水槽として使用した場合、コンクリートスラブ５からの水蒸気・水分は、無孔通気緩衝シート１２ｕに達すると、ポリエステル不織布層１２ｕの内部に浸透して移動する。この凝縮水は、壁面側のポリエステル不織布層１２ｓの内部を通って床面近くに達し、排水ピット（排水孔）からコンクリートスラブの外部へ排出される。この排水機能の詳細は、図４Ｂの説明を参照されたい。
【００６２】
温水槽として使用した場合、槽内の高温水蒸気は、防水層１４ｕにより遮断される。長期間の使用により、防水層１４ｕを透過した水蒸気は、無孔通気緩衝シート１２ｄの遮水層１２−１を透過する前にポリエステル不織布層１２−２に浸透し移動して、壁面側の導通路（無孔通気緩衝シート１２ｓのポリエステル不織布層１２−２）に導かれる。この排水機能の詳細は、図４Ｃの説明を参照されたい。
【００６３】
なお、図５Ｃに示すように、無孔通気緩衝シート１２ｄが、断熱層１８の端面を覆う部分は、無孔通気緩衝シートの裏表を反転して、結露水が断熱層１８の端面から侵入しないようにしてもよい。或いは、この部分の無孔通気緩衝シート１２ｄは、ポリエステル不織布層１２−２の両面に遮水層１２−１を形成した三層の構造の無孔通気緩衝シートとしてもよい。
【００６４】
(4)これらの槽構造の特徴は、次のようにまとめることが出来る。
(i)天井面は、断熱成型板１６から形成される。
(ii)断熱成型板１６の表面には、無孔通気緩衝シート１２が配置され、結露水の導通路が形成される。無孔通気緩衝シート１２を配置する面は、槽内温度と槽外温度との関係によって決まる。
(a) 常時、槽内温度が槽外温度より低い蓄熱槽（例えば、冷水専用槽２０、氷蓄熱槽２２）では、無孔通気緩衝シート１２ｕは、断熱成型板１６の外周側（即ち、コンクリートスラブ５と断熱成型板１６との境界）に沿って配置される。
(b) 常時、槽内温度が槽外温度より高い蓄熱槽（例えば、温水専用槽２４）では、無孔通気緩衝シート１２ｄは、断熱成型板１８の内周側（即ち、断熱成型板１６と防水層１４ｕの境界）に沿って配置される。
(c) 季節により循環的に、槽内温度と槽外温度の高低が反転する蓄熱槽（例えば、冷温水専用槽）では、無孔通気緩衝シート１２ｕ、１２ｄは、断熱成型板の外周側と内周側の両方に配置される。
(iii)壁面及び床面は、断熱層（例えば、現場発泡ウレタン断熱層）１８と、その内周面側に形成した防水層（例えば、ポリウレア樹脂防水層）１４ｓから成る。少なくとも、壁面の防水層１４ｓの外周側には、天井面の無孔通気緩衝シート１２ｕ、１２ｄからの結露水を導くため、無孔通気緩衝シート１２ｓが形成される。
【００６５】
［実施形態の利点・効果］
本実施形態に係る蓄熱槽の利点・効果を、従来の代表的な工法であるシート防水工法による蓄熱槽及びウレタン吹付け工法による蓄熱槽と比較しながら、説明する。
【００６６】
図６Ａは、従来のシート防水工法による蓄熱槽３０を示す図である。シート防水工法は、乾式工法の代表的なものである。シート防水工法は、断熱層３２として、コンクリート躯体３４に対して断熱材（例えば、ボード状発泡体である押出し発泡ポリスチレンフォーム）を敷き詰め、断熱材固定ピン３６によって機械的に固定する。更に、天井面には、硬質塩ビ板（硬質ポリ塩化ビニール板）３８を貼り、壁面及び底面には、軟質塩化ビニールシート４０を固定ピン３６によって機械的に固定している。
【００６７】
シート防水工法では、天井面断熱層内の結露水に対して、透湿抵抗の高い硬質塩ビ板３８を配置することにより、断熱層内結露水の発生量の蓄積を遅延させている。従って、徐々にではあるが経時劣化は回避出来ない。
【００６８】
本実施形態に係る蓄熱槽２０，２２，２４，２６は、内部結露水の排水機能を有している。従って、断熱層内に結露水が発生しても逐次排水され、結露水の蓄積は生じない。
【００６９】
図６Ｂは、従来のウレタン吹付け防水工法による蓄熱槽４２を示す図である。コンクリートスラブ３４に対して、アルミ導通層付断熱材４４を固定アンカー４６で固定している。更に、その上に、吹付け工法によりウレタンゴム系（高強度）防水材４８を形成している。
【００７０】
ウレタン吹付け防水工法では、天井面断熱層内の結露水に対して、特に対策を取っていない。アルミニウムは、無機質なので水蒸気を全く透さない。一方、超速硬化ウレタン防水層３４は水蒸気を透す。その結果、防水層３４を透った水蒸気は、アルミニウムシートの前で移動がストップされ、凝縮する。防水層３４とアルミニウムシート３２の間で、結露水として溜まる。それが徐々に堆積して、両層間に剥離現象を生じ、落下する恐れもある。
【００７１】
このように、本実施形態に係る内部結露水排水機能付き蓄熱槽は、これら従来の代表的工法と相違し、天井断熱防水層内部の結露水に対して、積極的に排水機能を付与し、これら工法にはない利点・効果を有している。
【００７２】
［その他］
以上、本発明に係る内部結露水排水機能付き蓄熱槽の実施形態に関して説明したが、これらは例示であって、本発明はこれらに限定されない。当業者が、これら実施形態に対して容易になしえる追加・削除・変更・改良等は、本発明に含まれる。本発明の技術的範囲は、添付の特許請求の範囲の記載によって定められる。
【符号の説明】
【００７３】
１：ビル、  ２：空間、  ３：熱源機、  ４：蓄熱槽，冷温水槽，氷蓄熱槽，冷水専用槽，温水専用槽、  ５：コンクリートスラブ，コンクリート躯体、  ５−１：床スラブ、  ５−２：天井面コンクリートスラブ、  ６：コンクリートスラブ，コンクリート躯体、  ７：コンクリートスラブ，コンクリート躯体、  ８：断熱材、  ９：防水材、  １２，１２ｄ，１２ｓ，１２ｕ：無孔通気緩衝シート、  １２−１：遮水層、  １２−２：ポリエステル不織布層，通水層、  １４，１４ｓ，１４ｕ，１４ｕ：防水層、  １６：断熱成型板、  １８：断熱成型板、  １８：断熱層、  ２０：冷水専用槽、  ２２：氷蓄熱槽、  ２４：温水専用槽、  ２４：温水専用槽、  ２６：冷温水槽、  ３０：蓄熱槽、  ３２：断熱層、  ３４：コンクリート躯体、  ３６：断熱材固定ピン、  ３８：硬質塩ビ板、  ４０：軟質塩化ビニールシート、  ４２：蓄熱槽、  ４４：アルミ導通層付断熱材、  ４６：固定アンカー、  ４８：防水材、
【図１Ａ】
2015187534.tif 000004
【図１Ｂ】
2015187534.tif 000005
【図２】
2015187534.tif 000006
【図３】
2015187534.tif 000007
【図４Ａ】
2015187534.tif 000008
【図４Ｂ】
2015187534.tif 000009
【図４Ｃ】
2015187534.tif 000010
【図５Ａ】
2015187534.tif 000011
【図５Ｂ】
2015187534.tif 000012
【図５Ｃ】
2015187534.tif 000013
【図６Ａ】
2015187534.tif 000014
【図６Ｂ】
2015187534.tif 000015